(57)【要約】【課題】  電子ペーパのためのユーザインターフェース提供装置および方法を開示する。【解決手段】  デジタル化したコンテンツを鑑賞するとき、紙または本を扱う方法と類似した方法で電子ペーパを扱うことができるユーザインターフェース提供装置および方法を提供する。電子ペーパのためのユーザインターフェース提供装置として、ユーザが簡単かつ直観的に用いることができるユーザインターフェース提供装置および方法を提供する。【選択図】      図１
2011044128.tif 000002
【特許請求の範囲】
【請求項１】
ユーザの入力を受信するタッチインターフェース部と、
前記タッチインターフェース部に対するユーザの操作を感知するユーザ操作感知部と、
前記ユーザの操作に対応する機能を実行するように電子ペーパを制御する電子ペーパ制御部と、
を備え、
前記ユーザの操作は、紙または本を扱う方式と関連するユーザインターフェース提供装置。
【請求項２】
前記ユーザ操作感知部は、
前記タッチインターフェース部に対するタッチイベントを感知するタッチセンシング部と、
前記電子ペーパに加えられる圧力を感知する圧力センシング部と、
前記電子ペーパの重力方向変化を感知する重力方向センシング部と、
を備える請求項１に記載のユーザインターフェース提供装置。
【請求項３】
前記タッチセンシング部は、前記電子ペーパの前面に対するタッチイベントおよび前記電子ペーパの裏面に対するタッチイベントを感知する請求項２に記載のユーザインターフェース提供装置。
【請求項４】
前記ユーザ操作感知部は、前記電子ペーパを裏返すユーザの操作を感知し、
前記電子ペーパ制御部は、前記電子ペーパを裏返すユーザの操作に対応して、前記電子ペーパに表示されたページを変更するように前記電子ペーパを制御する請求項１乃至３いずれか一項に記載のユーザインターフェース提供装置。
【請求項５】
前記ユーザ操作感知部は、前記電子ペーパを裏返すユーザの操作を感知し、
前記電子ペーパ制御部は、前記電子ペーパを裏返すユーザの操作に対応して、前記電子ペーパに表示されたコンテンツを変更するように前記電子ペーパを制御する請求項１乃至３いずれか一項に記載のユーザインターフェース提供装置。
【請求項６】
前記ユーザ操作感知部は、前記電子ペーパを両手で曲げた後に放すユーザの操作を感知し、
前記電子ペーパ制御部は、前記電子ペーパを両手で曲げた後に放すユーザの操作に対応して、ページ選択メニューを表示するように前記電子ペーパを制御する請求項１乃至３いずれか一項に記載のユーザインターフェース提供装置。
【請求項７】
前記電子ペーパは、コンテンツリストを表示し、
前記ユーザの操作は、前記電子ペーパの前面および裏面を指でタッチすることで前記コンテンツリストのうちのいずれか１つのコンテンツを選択し、前記電子ペーパの前面および裏面にタッチした指をドラッグする動作であり、
前記電子ペーパ制御部は、前記電子ペーパの前面および裏面にタッチした指のドラッグ方向に沿って、選択したコンテンツを格納または削除するように前記電子ペーパを制御する請求項１乃至３いずれか一項に記載のユーザインターフェース提供装置。
【請求項８】
前記ユーザの操作は、前記電子ペーパの角を曲げる動作であり、
前記電子ペーパ制御部は、前記電子ペーパの角を曲げるユーザの操作に対応して、前記電子ペーパに表示されたページにブックマークを設定するように前記電子ペーパを制御する請求項１乃至３いずれか一項に記載のユーザインターフェース提供装置。
【請求項９】
前記ユーザの操作は、前記電子ペーパの角を曲げる動作であり、
前記電子ペーパ制御部は、前記電子ペーパの角を曲げるユーザの操作に対応して、ブックマークが設定されたページに移動するように前記電子ペーパを制御する請求項１乃至３いずれか一項に記載のユーザインターフェース提供装置。
【請求項１０】
前記ユーザの操作は、前記電子ペーパの角の前面および裏面を基準時間の間タッチする動作であり、
前記電子ペーパ制御部は、前記電子ペーパの角の前面および裏面を基準時間の間タッチするユーザの操作に対応して、ブックマーク設定メニューを提供するように前記電子ペーパを制御する請求項１乃至３いずれか一項に記載のユーザインターフェース提供装置。
【請求項１１】
前記ユーザの操作は、前記電子ペーパに表示されたブックマーク表示をタッチする動作であり、
前記電子ペーパ制御部は、前記電子ペーパに表示されたブックマーク表示をタッチするユーザの操作に対応して、ブックマーク削除メニューを提供するように前記電子ペーパを制御する請求項１乃至３いずれか一項に記載のユーザインターフェース提供装置。
【請求項１２】
前記ユーザの操作は、前記電子ペーパに表示されたブックマーク表示をドラッグする動作であり、
前記電子ペーパ制御部は、前記電子ペーパに表示されたブックマーク表示をドラッグするユーザの操作に対応して、ブックマークリストを提供するように前記電子ペーパを制御する請求項１乃至３いずれか一項に記載のユーザインターフェース提供装置。
【請求項１３】
前記ユーザの操作は、前記電子ペーパを折る動作であり、
前記電子ペーパ制御部は、前記電子ペーパを折るユーザの操作に対応して、メモ領域を提供するように前記電子ペーパを制御する請求項１乃至３いずれか一項に記載のユーザインターフェース提供装置。
【請求項１４】
前記ユーザの操作は、折られた電子ペーパの両面を指でタッチした後、タッチした指をドラッグする動作であり、
前記電子ペーパ制御部は、タッチした指をドラッグするユーザ操作に対応して、前記電子ペーパに表示されたメモを削除するように前記電子ペーパを制御する請求項１乃至３いずれか一項に記載のユーザインターフェース提供装置。
【請求項１５】
プロセッサの制御によるユーザインターフェース提供方法であって、
電子ペーパに対するユーザの操作を感知するステップと、
前記ユーザの操作に対応する機能を実行するように前記プロセッサが前記電子ペーパを制御するステップと、
を含み、
前記ユーザの操作は、紙または本を扱う方式と関連するユーザインターフェース提供方法。
【請求項１６】
前記ユーザの操作は、前記電子ペーパを裏返す動作であり、
前記プロセッサは、前記電子ペーパを裏返すユーザの操作に対応して、前記電子ペーパに表示されたページを変更するように前記電子ペーパを制御する請求項１５に記載のユーザインターフェース提供方法。
【請求項１７】
前記ユーザの操作は、前記電子ペーパを裏返す動作であり、
前記プロセッサは、前記電子ペーパを裏返すユーザの操作に対応して、前記電子ペーパにコンテンツを変更するように前記電子ペーパを制御する請求項１５又は１６に記載のユーザインターフェース提供方法。
【請求項１８】
前記ユーザの操作は、前記電子ペーパを両手で曲げた後に放す動作であり、
前記プロセッサは、前記電子ペーパを両手で曲げた後に放すユーザの操作に対応して、ページ選択メニューを表示するように前記電子ペーパを制御する請求項１５乃至１７いずれか一項に記載のユーザインターフェース提供方法。
【請求項１９】
前記ユーザの操作は、前記電子ペーパの角の前面および裏面を基準時間の間タッチする動作であり、
前記プロセッサは、前記電子ペーパの角の前面および裏面を基準時間の間タッチするユーザの操作に対応して、ブックマーク設定メニューを提供するように前記電子ペーパを制御する請求項１５乃至１８いずれか一項に記載のユーザインターフェース提供方法。
【請求項２０】
コンテンツリストを電子ペーパに表示するステップと、
前記電子ペーパの前面および裏面を指でタッチすることで前記コンテンツリストのうちのいずれか１つのコンテンツを選択するユーザの第１操作を感知するステップと、
前記電子ペーパの前面および裏面にタッチした指をドラッグするユーザの第２操作を感知するステップと、
前記電子ペーパの前面および裏面にタッチした指のドラッグ方向に沿って、選択されたコンテンツを格納または削除するように前記電子ペーパを制御するステップと、
を含むユーザインターフェース提供方法。
【発明の詳細な説明】
【技術分野】
【０００１】
ユーザインターフェースに関し、より詳細には、電子ペーパのためのユーザインターフェース提供装置および方法に関する。
【背景技術】
【０００２】
電子ペーパ（ｅ−Ｐａｐｅｒ）または電子書籍（ｅ−ｂｏｏｋ）は、デジタル化したコンテンツの鑑賞に広く適用されている。
【０００３】
電子ペーパは、少ない駆動電力で鮮明な画質を提供する。また、電子ペーパは、薄くて柔軟な（ｆｌｅｘｉｂｌｅ）特性を有する。一般的に、電子ペーパまたは電子書籍のためのユーザインターフェースは、ノート型パソコンまたはタブレットＰＣに適用されるユーザインターフェースを採用している。したがって、ユーザは、ボタンまたはタッチインターフェースを用いて所望する命令を入力することができる。
【発明の概要】
【発明が解決しようとする課題】
【０００４】
デジタル化したコンテンツを鑑賞するとき、紙または本を扱う方法と類似した方法で電子ペーパを扱うことができるユーザインターフェース提供装置および方法が提供される。
【０００５】
電子ペーパのためのユーザインターフェース提供装置として、ユーザが簡単かつ直観的に用いることができるユーザインターフェース提供装置および方法が提供される。
【課題を解決するための手段】
【０００６】
本発明の一側に係るユーザインターフェース提供装置は、電子ペーパに対するユーザの操作を感知するユーザ操作感知部と、前記ユーザの操作に対応する機能を実行するように前記電子ペーパを制御する電子ペーパ制御部とを備え、前記ユーザの操作は、紙または本を扱う方式と関連する。
【０００７】
このとき、前記ユーザ操作感知部は、前記電子ペーパに対するタッチイベントを感知するタッチセンシング部と、前記電子ペーパに加えられる圧力を感知する圧力センシング部と、前記電子ペーパの重力方向変化を感知する重力方向センシング部とを備えることができる。
【０００８】
このとき、前記タッチセンシング部は、前記電子ペーパの前面に対するタッチイベントおよび前記電子ペーパの裏面に対するタッチイベントを感知することができる。
【０００９】
このとき、前記ユーザ操作感知部は、前記電子ペーパを裏返すユーザの操作を感知し、前記電子ペーパ制御部は、前記電子ペーパを裏返すユーザの操作に対応して、前記電子ペーパに表示されたページを変更するように前記電子ペーパを制御することができる。
【００１０】
このとき、前記ユーザ操作感知部は、前記電子ペーパを裏返すユーザの操作を感知し、前記電子ペーパ制御部は、前記電子ペーパを裏返すユーザの操作に対応して、前記電子ペーパに表示されたコンテンツを変更するように前記電子ペーパを制御することができる。
【００１１】
このとき、前記ユーザ操作感知部は、前記電子ペーパを両手で曲げた後に放すユーザの操作を感知し、前記電子ペーパ制御部は、前記電子ペーパを両手で曲げた後に放すユーザの操作に対応して、ページ選択メニューを表示するように前記電子ペーパを制御することができる。
【００１２】
このとき、前記電子ペーパは、コンテンツリストを表示することができる。
【００１３】
このとき、前記ユーザの操作は、前記電子ペーパの前面および裏面を指でタッチすることで前記コンテンツリストのうちのいずれか１つのコンテンツを選択し、前記電子ペーパの前面および裏面にタッチした指をドラッグする動作であり、前記電子ペーパ制御部は、前記電子ペーパの前面および裏面にタッチした指のドラッグ方向に沿って、選択したコンテンツを格納または削除するように前記電子ペーパを制御することができる。
【００１４】
このとき、前記ユーザの操作は、前記電子ペーパの角を曲げる動作であり、前記電子ペーパ制御部は、前記電子ペーパの角を曲げるユーザの操作に対応して、前記電子ペーパに表示されたページにブックマークを設定するように前記電子ペーパを制御することができる。
【００１５】
このとき、前記ユーザの操作は、前記電子ペーパの角を曲げる動作であり、前記電子ペーパ制御部は、前記電子ペーパの角を曲げるユーザの操作に対応して、ブックマークが設定されたページに移動するように前記電子ペーパを制御することができる。
【００１６】
このとき、前記ユーザの操作は、前記電子ペーパの角の前面および裏面を基準時間の間タッチする動作であり、前記電子ペーパ制御部は、前記電子ペーパの角の前面および裏面を基準時間の間タッチするユーザの操作に対応して、ブックマーク設定メニューを提供するように前記電子ペーパを制御することができる。
【００１７】
前記ユーザの操作は、前記電子ペーパに表示されたブックマーク表示をタッチする動作であり、前記電子ペーパ制御部は、前記電子ペーパに表示されたブックマーク表示をタッチするユーザの操作に対応して、ブックマーク削除メニューを提供するように前記電子ペーパを制御することができる。
【００１８】
このとき、前記ユーザの操作は、前記電子ペーパに表示されたブックマーク表示をドラッグする動作であり、前記電子ペーパ制御部は、前記電子ペーパに表示されたブックマーク表示をドラッグするユーザの操作に対応して、ブックマークリストを提供するように前記電子ペーパを制御することができる。
【００１９】
このとき、前記ユーザの操作は、前記電子ペーパを折る動作であり、前記電子ペーパ制御部は、前記電子ペーパを折るユーザの操作に対応して、メモ領域を提供するように前記電子ペーパを制御することができる。
【００２０】
このとき、前記ユーザの操作は、折れている電子ペーパの両面を指でタッチした後、タッチした指をドラッグする動作であり、前記電子ペーパ制御部は、タッチした指をドラッグするユーザ操作に対応して、メモ削除機能を提供するように前記電子ペーパを制御することができる。
【００２１】
本発明の一側に係るプロセッサの制御に係るユーザインターフェース提供方法は、電子ペーパに対するユーザの操作を感知するステップと、前記ユーザの操作に対応する機能を実行するように前記プロセッサが前記電子ペーパを制御するステップとを含み、前記ユーザの操作は、紙または本を扱う方式と関連する。
【００２２】
本発明の他の一側に係るユーザインターフェース提供方法は、コンテンツリストを電子ペーパに表示するステップと、前記電子ペーパの前面および裏面を指でタッチすることで前記コンテンツリストのうちのいずれか１つのコンテンツを選択するユーザの第１操作を感知するステップと、前記電子ペーパの前面および裏面にタッチした指をドラッグするユーザの第２操作を感知するステップと、前記電子ペーパの前面および裏面にタッチした指のドラッグ方向に沿って、選択したコンテンツを格納または削除するように前記電子ペーパを制御するステップとを含む。
【発明の効果】
【００２３】
本発明の一側によれば、ユーザは、紙または本を扱う方法と同じ方法で電子ペーパを扱うことができる。また、電子ペーパまたはＩＴデバイスに対する知識がない場合でも、直観的な（ｔａｎｇｉｂｌｅ）方法を用いて電子ペーパに記録されたコンテンツを鑑賞することができる。さらに、紙または本を扱う方式と同じ方法で電子ペーパを扱うことができるため、キーボードまたはボタンのような付加装置が必要なく、ユーザの便宜を高めることができる。
【図面の簡単な説明】
【００２４】
【図１】本発明の一実施形態に係る電子ペーパの構造を示す図である。
【図２】本発明の一実施形態に係るユーザインターフェース提供装置の構成を示す図である。
【図３】図２のユーザ操作感知部の構成例を示す図である。
【図４】本発明の一実施形態に係るユーザインターフェース提供例を説明するための図である。
【図５】図４に示すユーザインターフェース提供例を他の側面で説明するための図である。
【図６】図４に示す例と反対の場合を示す図である。
【図７】本発明の他の一実施形態に係るユーザインターフェース提供例を説明するための図である。
【図８】本発明の他の一実施形態に係るユーザインターフェース提供例を説明するための図である。
【図９】本発明の他の一実施形態に係るユーザインターフェース提供例を説明するための図である。
【図１０】本発明の他の一実施形態に係るユーザインターフェース提供例を説明するための図である。
【図１１】本発明の他の一実施形態に係るユーザインターフェース提供例を説明するための図である。
【図１２】本発明の他の一実施形態に係るユーザインターフェース提供例を説明するための図である。
【図１３】本発明の他の一実施形態に係るユーザインターフェース提供例を説明するための図である。
【図１４】本発明の他の一実施形態に係るユーザインターフェース提供例を説明するための図である。
【図１５】本発明の一実施形態に係るユーザインターフェース提供方法を示す図である。
【図１６】本発明の他の一実施形態に係るユーザインターフェース提供方法を示す図である。
【発明を実施するための形態】
【００２５】
以下、本発明の実施形態について、添付の図面を参照しながら詳細に説明する。
【００２６】
図１は、本発明の一実施形態に係る電子ペーパの構造を示す図である。
【００２７】
電子ペーパ１００は、前面１１０または裏面１２０を介してコンテンツを表示することができる。また、電子ペーパ１００は、曲げたり折ったりすることが可能なフレキシブルディスプレイを備えて構成することができる。このとき、電子ペーパ１００は、ユーザインターフェース提供装置（図示せず）を備えて構成される。
【００２８】
図２は、本発明の一実施形態に係るユーザインターフェース提供装置の構成を示す図である。
【００２９】
図２を参照すれば、ユーザインターフェース提供装置２００は、タッチインターフェース２１０と、ユーザ操作感知部２２０と、電子ペーパ制御部２３０とを備える。
【００３０】
タッチインターフェース２１０は、ユーザの指またはスタイラスペン（ｓｔｙｌｕｓ  ｐｅｎ）などのタッチによって、ユーザ入力が可能なユーザーインターフェースを提供することができる。また、タッチインターフェース２１０は、コンテンツを表示することができる。このとき、タッチインターフェース２１０は、電子ペーパ１００の前面１１０および裏面１２０すべてに備えることができる。したがって、ユーザは、電子ペーパの両面１１０、１２０を親指および人差し指を用いてタッチすることによって、電子ペーパ１００を操作することができる。
【００３１】
ユーザ操作感知部２２０は、電子ペーパ１００に対するユーザの操作を感知する。このとき、ユーザ操作感知部２２０は、タッチインターフェース２１０に対するタッチイベントを感知し、タッチイベントに対するドラッグ（ｄｒａｇ）の方向を感知する。このとき、タッチイベントは、例えば、ユーザの指がタッチインターフェース２１０にタッチした状態を意味する。このとき、ドラッグは、ＰＣ環境におけるマウスのドラッグと類似した概念である。したがって、タッチイベントに対するドラッグの方向は、タッチイベントが維持された状態でユーザの指が動く方向を意味する。このとき、タッチイベントは、電子ペーパ１００の両面１１０、１２０に同時に発生することができる。また、ユーザ操作感知部２２０は、電子ペーパ１００において曲げられる位置および曲げられる程度を感知することができる。
【００３２】
電子ペーパ制御部２３０は、ユーザの操作に対応する機能を実行するように電子ペーパ１００を制御する。このとき、ユーザの操作は、紙または本を扱う方式と関連する。すなわち、ユーザの操作は、紙または本を扱う方式と同じ類型とすることができる。
【００３３】
図３は、図２のユーザ操作感知部２２０の構成例を示す図である。
【００３４】
図３を参照すれば、ユーザ操作感知部２２０は、タッチセンシング部３２１と、圧力センシング部３２３と、重力方向センシング部３２５とを備えることができる。
【００３５】
タッチセンシング部３２１は、電子ペーパ１００に対するタッチイベントを感知する。このとき、タッチセンシング部３２１は、電子ペーパ１００の前面１１０に対するタッチイベントおよび裏面１２０に対するタッチイベントを感知することができる。
【００３６】
圧力センシング部３２３は、電子ペーパ１００に加えられる圧力を感知することができる。
【００３７】
重力方向センシング部３２５は、電子ペーパ１００の重力方向の変化を感知することができる。このとき、重力方向センシング部３２５は、ジャイロセンサ、地磁気センサ、加速度センサのうちの少なくともいずれか１つを備えて構成することができる。
【００３８】
このとき、タッチセンシング部３２１、圧力センシング部３２３、および重力方向センシング部３２５は、実施形態によって多様な構造および形態で構成することができる。また、タッチセンシング部３２１、圧力センシング部３２３、および重力方向センシング部３２５は、ユーザ操作感知部２２０に備えることができる構成要素の例示に過ぎない。したがって、ユーザ操作感知部２２０は、ユーザの操作を感知するための多様な構成要素をさらに備えることができる。
【００３９】
以下、図１〜３を参照しながら、ユーザインターフェース提供例について詳細に説明する。
【００４０】
図４は、本発明の一実施形態に係るユーザインターフェース提供例を説明するための図である。
【００４１】
図４に示す例において、ユーザの操作は、電子ペーパ１００の前面１１０を見ている途中に、電子ペーパ１００を裏返して裏面１２０を見る動作である。すなわち、ユーザは、４０１から４０２方向に電子ペーパ１００を裏返す。このとき、ユーザ操作感知部２２０は、電子ペーパ１００を裏返すユーザの操作を感知する。このとき、電子ペーパ制御部２３０は、電子ペーパ１００を裏返すユーザの操作に対応して、電子ペーパ１００に表示されたページを変更するように電子ペーパ１００を制御する。図４に示す例において、電子ペーパ１００に表示されたページは、ページ１０からページ９に変更された。すなわち、ユーザは、４０１から４０２方向に電子ペーパ１００を裏返すことにより、現在表示されているページの前のページを見ることができる。一方、電子ペーパ制御部２３０は、４０１から４０２方向に電子ペーパ１００を裏返すユーザの操作に対応して、ページ１０からページ１１に変更するように電子ペーパ１００を制御することもできる。
【００４２】
図５は、図４に示すユーザインターフェース提供例を他の側面で説明するための図である。
【００４３】
図５に示す例において、電子ペーパ１００の前面１１０は、最初はユーザの視線５０１を向いている。したがって、電子ペーパ１００の裏面１２０は、最初は地面５０４を向いている。このとき、ユーザが電子ペーパ１００を裏返せば、電子ペーパ１００の前面１１０は地面５０４を向くようになる。
【００４４】
図５に示す例において、ユーザ操作感知部２２０は、重力方向５０２と電子ペーパ１００の裏面が向く方向５０３の変化を感知することにより、ユーザの操作を感知することができる。
【００４５】
図６は、図４に示す例と反対の場合を示す図である。
【００４６】
図６に示す例において、ユーザの操作は、４０２から４０１方向に電子ペーパ１００を裏返す動作である。このとき、図６に示す例において、電子ペーパ１００に表示されたページは、ページ１０からページ１１に変更された。すなわち、ユーザは、４０２から４０１方向に電子ペーパ１００を裏返すことにより、現在表示されているページの次のページを見ることができる。
【００４７】
図７は、本発明の他の一実施形態に係るユーザインターフェース提供例を説明するための図である。
【００４８】
図７に示す例において、ユーザの操作は、電子ペーパ１００をページをめくるように曲げた後に放す動作である。このとき、ユーザ操作感知部２２０は、電子ペーパ１００を両手で曲げた後に放すユーザの操作を感知する。このとき、ユーザ操作感知部２２０は、電子ペーパの両側面がユーザによってタッチされた後、電子ペーパ１００のしなりを感知することにより、電子ペーパ１００を両手で曲げた後に放すユーザの操作を感知することができる。このとき、電子ペーパ制御部２３０は、電子ペーパ１００を両手で曲げた後に放すユーザの操作に対応して、ページ選択メニュー７０１を表示するように電子ペーパ１００を制御することができる。このとき、ユーザは、ページ選択メニュー７０１に所望するページを入力することにより、自身が所望するページに移動することができる。
【００４９】
図８は、本発明の他の一実施形態に係るユーザインターフェース提供例を説明するための図である。
【００５０】
図８に示す例において、ユーザの操作は、電子ペーパ１００の前面１１０を見ている途中に、電子ペーパ１００を裏返して裏面１２０を見る動作である。ただし、図８に示す例は、図４〜６に示す例とは異なり、８０１から８０２方向に電子ペーパ１００を裏返す場合である。すなわち、ユーザは、８０１から８０２方向に電子ペーパ１００を裏返す。このとき、ユーザ操作感知部２２０は、電子ペーパ１００を裏返すユーザの操作を感知する。このとき、電子ペーパ制御部２３０は、電子ペーパ１００を裏返すユーザの操作に対応して、電子ペーパ１００に表示されたコンテンツを変更するように電子ペーパ１００を制御する。図８に示す例において、電子ペーパ１００に表示されたコンテンツは、ブック１からブック２に変更された。すなわち、ユーザは、８０１から８０２方向に電子ペーパ１００を裏返すことにより、現在表示されているコンテンツの次のコンテンツを見ることができる。一方、電子ペーパ制御部２３０は、８０１から８０２方向に電子ペーパ１００を裏返すユーザの操作に対応して、表示されたコンテンツをブック１からブック２に変更するように電子ペーパ１００を制御することもできる。さらに、電子ペーパ制御部２３０は、８０２から８０１方向に電子ペーパ１００を裏返すユーザの操作に対応して、表示されたコンテンツをブック２からブック１に変更するように電子ペーパ１００を制御することもできる。
【００５１】
図９は、本発明の他の一実施形態に係るユーザインターフェース提供例を説明するための図である。
【００５２】
図９に示す例において、電子ペーパ１００の前面１１０には、コンテンツリストが表示されている。
【００５３】
このとき、ユーザ９０３の操作は、電子ペーパの前面１１０および裏面１２０を指でタッチすることでコンテンツリストのうちのいずれか１つのコンテンツを選択し、電子ペーパの前面１１０および裏面１２０にタッチした指を９０１から９０２方向にドラッグする動作である。すなわち、ユーザ９０３は、本棚から本を抜き取るような動作を介して、コンテンツリストのうちのいずれか１つのコンテンツを選択することができる。このとき、電子ペーパ制御部２３０は、ユーザの操作に対応して、選択したコンテンツを表示したり、選択したコンテンツをメモリに格納したりするように電子ペーパ１００を制御することができる。
【００５４】
一方、図９に示す例は、電子ペーパ１００がインターネットなどのネットワークに連結する場合、ユーザが所望するコンテンツを選択し、選択したコンテンツを購買するためのインターフェースとして応用することができる。すなわち、ユーザは、本棚から本を抜き取る動作と類似した動作を介して、自身が所望する電子書籍を選択することができる。
【００５５】
図１０は、本発明の他の一実施形態に係るユーザインターフェース提供例を説明するための図である。
【００５６】
図１０に示す例は、ユーザの操作が図９に示す例と反対方向でなされる場合を示す。すなわち、ユーザ１００３は、電子ペーパの前面１１０および裏面１２０にタッチした指を１００２から１００１方向にドラッグする。このとき、電子ペーパ制御部２３０は、ユーザの操作に対応して、選択したコンテンツをコンテンツリストから除去するように電子ペーパ１００を制御することができる。
【００５７】
図１１は、本発明の他の一実施形態に係るユーザインターフェース提供例を説明するための図である。
【００５８】
図１１に示す例において、ユーザの操作は、電子ペーパの角１１０１を曲げる動作である。このとき、ユーザ操作感知部２２０は、電子ペーパの角１１０１が曲げられることを感知することにより、ユーザの操作を感知することができる。このとき、角１１０１の曲がり程度は、電子ペーパの柔軟性（ｆｌｅｘｉｂｉｌｉｔｙ）によって異なる。したがって、ユーザ操作感知部２２０は、予め設定された基準値以上に角１１０１が曲がる場合、ユーザの操作を感知するように設定することができる。このとき、電子ペーパ制御部２３０は、電子ペーパの角１１０１を曲げるユーザの操作に対応して、電子ペーパ１００に表示されたページにブックマークを設定するように電子ペーパ１００を制御することができる。したがって、ユーザは、電子ペーパ１００の角１１０１を１１０２から１１０３方向に曲げる動作を介して、自身が所望するページに代表ブックマークを設定することができる。
【００５９】
実施形態により、電子ペーパ制御部２３０は、ユーザが電子ペーパ１００の角１１０１を１１０３から１１０２方向に曲げる場合に、代表ブックマークが設定されたページを表示するように電子ペーパ１００を制御することもできる。このとき、代表ブックマークが設定されたページは、電子書籍１冊あたりに１つずつ設定されたブックマークとすることができる。また、代表ブックマークが設定されたページは、ユーザによって手動で設定されたページとすることができる。
【００６０】
図１２は、本発明の他の一実施形態に係るユーザインターフェース提供例を説明するための図である。
【００６１】
図１２に示す例は、ユーザが重要内容を表示したり、ブックマークが複数設定されている場合を示す。
【００６２】
図１２に示す例において、ユーザの操作は、電子ペーパ１００の角の前面および裏面を基準時間の間タッチする動作とすることができる。このとき、電子ペーパ制御部２３０は、電子ペーパ１００の角の前面および裏面を基準時間の間タッチするユーザの操作に対応して、ブックマーク設定メニューを提供するように電子ペーパを制御することができる。このとき、基準時間は、例えば、１〜２秒で設定することができる。このとき、ブックマーク設定メニューを提供することは、「現在のページにブックマークを追加しますか？」というメッセージを表示することとすることができる。このとき、電子ペーパ１００は、ブックマークが設定されたページにブックマーク１２０１を含んで表示することができる。
【００６３】
図１２に示す例において、ユーザの操作は、電子ペーパ１００に表示されたブックマーク表示１２０１を基準時間の間タッチする動作とすることができる。このとき、電子ペーパ制御部２３０は、電子ペーパ１００に表示されたブックマーク表示１２０１をタッチするユーザの操作に対応して、ブックマーク削除メニューを提供するように電子ペーパ１００を制御することができる。このとき、ブックマーク削除メニューを提供することは、「現在のページのブックマークを削除しますか？」というメッセージを表示することとすることができる。
【００６４】
図１２に示す例において、ユーザの操作は、電子ペーパ１００に表示されたブックマーク表示１２０１をタッチした後、１２０２から１２０３方向にドラッグする動作とすることができる。このとき、電子ペーパ制御部２３０は、ユーザ操作に対応して、ブックマーク１２０１を除去するように電子ペーパ１００を制御することができる。
【００６５】
図１２に示す例において、ユーザの操作は、電子ペーパ１００に表示されたブックマーク表示１２０１をタッチした後、１２０４方向にドラッグする動作とすることができる。このとき、電子ペーパ制御部２３０は、ブックマーク表示１２０１をタッチした後、ドラッグするユーザの操作に対応して、ブックマークリストを提供するように電子ペーパを制御することができる。
【００６６】
図１３は、本発明の他の一実施形態に係るユーザインターフェース提供例を説明するための図である。
【００６７】
図１３に示す例において、ユーザの操作は、電子ペーパを折る動作である。このとき、ユーザは、電子ペーパ１００にメモ空間１３０５を設定するために、電子ペーパ１００の４部分１３０１、１３０２、１３０３、１３０４を折ったり曲げたりする操作を実行することができる。このとき、電子ペーパ制御部２３０は、電子ペーパ１００の４部分１３０１、１３０２、１３０３、１３０４を折ったり曲げたりするユーザの操作に対応して、メモ領域１３０５を提供するように電子ペーパを制御することができる。
【００６８】
図１４は、本発明の他の一実施形態に係るユーザインターフェース提供例を説明するための図である。
【００６９】
図１４に示す例において、ユーザの操作は、１４０１方向に折られた電子ペーパ１４０２の両面を指でタッチした後、タッチした指をドラッグする動作である。このとき、タッチした指のドラッグは、１４０３から１４０４方向に実行される。このとき、電子ペーパ制御部２３０は、タッチした指をドラッグするユーザ操作に対応して、電子ペーパに表示されたメモ１４０５を削除するように電子ペーパを制御することができる。
【００７０】
本発明の実施形態に係る方法は、プロセッサの制御によって実行することができる。このとき、プロセッサは、電子ペーパ制御部２３０が実行する動作と同じ動作を実行することができる。
【００７１】
図１５は、本発明の一実施形態に係るユーザインターフェース提供方法を示す図である。
【００７２】
１５１０ステップにおいて、インターフェース提供装置は、電子ペーパに対するユーザの操作を感知する。
【００７３】
１５２０ステップにおいて、インターフェース提供装置は、ユーザの操作に対応する機能を実行するように電子ペーパを制御する。このとき、ユーザの操作は、紙または本を扱う方式と関連する。
【００７４】
図１６は、本発明の他の一実施形態に係るユーザインターフェース提供方法を示す図である。
【００７５】
１６１０ステップにおいて、ユーザインターフェース提供装置は、コンテンツリストを電子ペーパに表示する。
【００７６】
１６２０ステップにおいて、ユーザインターフェース提供装置は、電子ペーパの前面および裏面を指でタッチすることにより、コンテンツリストのうちのいずれか１つのコンテンツを選択するユーザの第１操作を感知する。
【００７７】
１６３０ステップにおいて、ユーザインターフェース提供装置は、電子ペーパの前面および裏面にタッチした指をドラッグするユーザの第２操作を感知する。
【００７８】
１６４０ステップにおいて、ユーザインターフェース提供装置は、電子ペーパの前面および裏面にタッチした指のドラッグ方向に沿って、選択したコンテンツを格納または削除するように電子ペーパを制御する。
【００７９】
なお、本発明の実施形態に係る方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。
【００８０】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００８１】
１００：電子ペーパ
１１０：前面
１２０：裏面
２００：ユーザインターフェース提供装置
２１０：タッチインターフェース
２２０：ユーザ操作感知部
２３０：電子ペーパ制御部
３２１：タッチセンシング部
３２３：圧力センシング部
３２５：重力方向センシング部
【図１】
2011044128.tif 000003
【図２】
2011044128.tif 000004
【図３】
2011044128.tif 000005
【図４】
2011044128.tif 000006
【図５】
2011044128.tif 000007
【図６】
2011044128.tif 000008
【図７】
2011044128.tif 000009
【図８】
2011044128.tif 000010
【図９】
2011044128.tif 000011
【図１０】
2011044128.tif 000012
【図１１】
2011044128.tif 000013
【図１２】
2011044128.tif 000014
【図１３】
2011044128.tif 000015
【図１４】
2011044128.tif 000016
【図１５】
2011044128.tif 000017
【図１６】
2011044128.tif 000018